(57)【要約】【課題】新たなローカルネットワークの構築を行うことなく情報のセキュリティを確保した上で分析装置等の遠隔地にて任意の端末装置から分析装置等の処理進捗状況を確認又は管理可能な進捗管理方法を実現する。【解決手段】分析処理装置１０２と、この処理の進捗を管理する進捗管理端末装置１０８とをインターネット１０４及び公衆回線１０５で接続する。装置１０２が、登録済みの起動信号発信機器１０７から公衆回線１０５を介し起動信号を受付けた後、装置１０２がインターネット１０４へ接続し、装置１０２がインターネット１０４を介して処理進捗に関するデータを、進捗管理端末装置１０８から入力されるパスワード等が一定要件を備える場合、閲覧可能とする。顧客サイト内にローカルなネットワークの構築を行うことなく、かつ、情報のセキュリティを確保した上で分析装置から離れた所にいる担当者が進捗を管理することができる。【選択図】      図１
2005148774.tif 000002
【特許請求の範囲】
【請求項１】
分析又は製造に関する所定の処理を実行する処理装置と、上記所定処理の進捗を管理する進捗管理端末装置とをインターネットを介して接続し、上記所定処理の進捗を管理する進捗管理方法において、
上記処理装置のデータ処理部は、
起動信号発生手段から公衆回線を介して起動信号を受信したとき、受信した起動信号が、予め登録された起動信号である場合のみ、上記データ処理部をインターネットに接続し、
上記インターネットを介して、上記進捗管理端末装置からの認証用データを受信し、受信した認証用データが、予め登録された認証用データと一致するときのみ、上記処理装置の処理進捗に関するデータをインターネットを介して上記進捗管理端末装置に送信することを特徴とする進捗管理方法。
【請求項２】
分析又は製造に関する所定の処理を実行する処理装置と、上記所定処理の進捗を管理する進捗管理端末装置とをインターネットを介して接続し、上記所定処理の進捗を管理する進捗管理方法において、
上記処理装置のデータ処理部は、
上記進捗管理端末装置から公衆回線を介して起動信号を受信したとき、受信した起動信号が、予め登録された起動信号である場合のみ、上記データ処理部をインターネットに接続し、
上記インターネットを介して、上記進捗管理端末装置からの認証用データを受信し、受信した認証用データが、予め登録された認証用データと一致するときのみ、上記処理装置の処理進捗に関するデータをインターネットを介して上記進捗管理端末装置に送信することを特徴とする進捗管理方法。
【請求項３】
分析又は製造に関する所定の処理を実行する処理装置と、上記所定処理の進捗を管理する進捗管理端末装置とをインターネットを介して接続し、上記所定処理の進捗を管理する進捗管理装置において、
上記公衆回線及びインターネットを介して、信号を送受信する通信手段と、
上記処理装置の進捗データ、登録された起動信号及び登録された認証データを記憶するデータ記憶手段と、
上記公衆回線を介して起動信号を受信したとき、受信した起動信号が、予め登録された起動信号である場合のみ、上記通信手段をインターネットに接続し、上記インターネットを介して、上記進捗管理端末装置からの認証用データを受信し、受信した認証用データが、上記登録された認証用データと一致するときのみ、上記処理装置の進捗データをインターネットを介して上記進捗管理端末装置に送信するデータ処理手段と、
を備えることを特徴とする進捗管理装置。
【請求項４】
分析又は製造に関する所定の処理を実行し、上記所定処理の進捗を管理する進捗管理端末装置とをインターネットを介して接続し、上記所定処理の進捗を管理する進捗管理装置において、
分析又は製造に関する所定の処理を実行する処理手段と、
上記公衆回線及びインターネットを介して、信号を送受信する通信手段と、
上記処理手段の進捗データ、登録された起動信号及び登録された認証データを記憶するデータ記憶手段と、
上記公衆回線を介して起動信号を受信したとき、受信した起動信号が、予め登録された起動信号である場合のみ、上記通信手段をインターネットに接続し、上記インターネットを介して、上記進捗管理端末装置からの認証用データを受信し、受信した認証用データが、上記登録された認証用データと一致するときのみ、上記処理装置の進捗データをインターネットを介して上記進捗管理端末装置に送信するデータ処理手段と、
を備えることを特徴とする進捗管理装置。
【発明の詳細な説明】
【技術分野】
【０００１】
本発明は、分析処理または製造処理を実行する装置において、前記処理の進捗を管理する進捗管理方法とその装置に係わり、特に、処理装置と進捗管理端末装置とをネットワークで接続する場合に、安全に情報を確認するための技術に関する。
【背景技術】
【０００２】
現在、試料の分析装置等をインターネットまたは公衆回線などへ接続して、処理装置の進捗管理システムを構築することにより、担当者が処理装置から離れた位置に居ながら、分析の進捗を管理する試みがなされている。
【０００３】
例えば、特許文献１によれば、進捗過程を管理するサーバ（管理サーバ）とセキュリティ用のサーバ（セキュリティサーバ）と分析装置とをローカルなネットワークに接続することによりローカルネットワークを構成する。また、ローカルネットワークをインターネットへ接続することにより広域ネットワークによる進捗管理システムを構成することができる。
【０００４】
したがって、担当者は、分析装置から離れた距離に居ながら、進捗管理端末装置を使用して分析装置の分析進捗状況を確認することができる。
【０００５】
また、特許文献２によれば、試験情報を得るコンピュータを備えた材料試験機を含むシステムにおいて、外部プロバイダに接続されているコンピュータが、予め設けられているＷｅｂサイトに対して材料試験機による試験情報を定期的にアップするように設定されている。これにより、他のコンピュータ若しくは携帯端末装置からＷｅｂサイトへの書き込み内容を随時参照することができる。
【０００６】
また、特許文献３によれば、電話回線に接続された端末装置からの電話番号情報が、予め許可された端末装置の電話番号と比較され、端末装置の認証が行われる。そして、その端末装置が正規に登録した端末装置であることが判断されると、ネットワークとその端末装置との接続が許可される。
【０００７】
これにより、ネットワークを通じた第三者によるデータの不正入手を防止することができる。つまり、情報のセキュリティを確保することができる。
【０００８】
【特許文献１】特開平１１−１２２２７６号公報
【０００９】
【特許文献２】特開２００２−６２２２７号公報
【００１０】
【特許文献３】特開２００２−１２５００３号公報
【発明の開示】
【発明が解決しようとする課題】
【００１１】
しかしながら、上記特許文献１記載の技術では、進捗管理システムの規模に関わらず、分析装置等の所有者サイト内にローカルなネットワークを構築しなければならず、ネットワーク構築費用と構築作業とが必要であり、経済的、時間的な負担が必要であった。
【００１２】
具体的には、進捗管理システムを備え付ける際には、管理サーバなどを別に購入する必要があるのに加えて、通信とセキュリティなどに関する設定作業が必要であった。
【００１３】
大規模な進捗管理システムであれば、複数の分析装置等の分析の進捗状況を管理サーバで集約可能となるなどの２次的な効果を期待できるが、進捗管理システムの規模が小さい場合は、集約が不要である場合が多く、ローカルネットワークの構築費用と作業とが単に負担となるだけであった。
【００１４】
また、上記特許文献２記載の技術においては、分析装置等の所有者のサイト内にローカルなネットワークを構築する必要は無いが、材料試験の状態に係る試験情報を得るコンピュータが、試験情報を外部プロバイダが管理するＷｅｂサイトにアップするため、外部プロバイダに対してＷｅｂサイトの管理費用が発生する。また、材料試験の状態に係る試験情報を得るコンピュータが、別途設けられた管理用コンピュータに対して電子メールにより定期的に試験情報を送信するように設定されている必要があるため、試験情報を得るコンピュータの他に管理用コンピュータの設置が必須である。
【００１５】
したがって、分析装置管理を、遠隔地においても可能とするためには、経済的、時間的な負担が大きいという問題点があった。
【００１６】
ところで、分析装置等が大量の試料等を分析するためには、長時間が必要である場合、この分析装置等の所有者が、分析装置の稼動中、遠隔地において、任意の端末装置、例えば、分析依頼者が所有する任意の端末装置から、上記分析装置の稼動進捗状況や、それまでに蓄積されたデータを確認することができたら、便利である。
【００１７】
しかしながら、従来の技術においては、データのセキュリティの問題から、分析装置等の進捗状況や処理結果については、特許文献３記載の技術のように、予め正規に登録された端末装置のみアクセス可能であり、未登録の端末装置については、アクセスすることができず、分析装置の稼動中、遠隔地において、任意の端末装置から、分析装置の稼動進捗状況等を確認することができなかった。
【００１８】
本発明の目的は、新たなローカルネットワークの構築を行うことなく、情報のセキュリティを確保した上で、分析装置等の遠隔地にて、任意の端末装置から分析装置等の処理進捗状況を確認又は管理可能な進捗管理方法及び進捗管理装置を実現することである。
【課題を解決するための手段】
【００１９】
上記目的を達成するため、本発明は次のように構成される。  
（１）本発明による進捗管理方法は、分析又は製造に関する所定の処理を実行する処理装置と、上記所定処理の進捗を管理する進捗管理端末装置とをインターネットを介して接続し、上記所定処理の進捗を管理する。
【００２０】
上記処理装置のデータ処理部は、起動信号発生手段から公衆回線を介して起動信号を受信したとき、受信した起動信号が、予め登録された起動信号である場合のみ、上記データ処理部をインターネットに接続する。そして、上記インターネットを介して、上記進捗管理端末装置からの認証用データを受信し、受信した認証用データが、予め登録された認証用データと一致するときのみ、上記処理装置の処理進捗に関するデータをインターネットを介して上記進捗管理端末装置に送信する。
【００２１】
（２）また、本発明による進捗管理方法は、分析又は製造に関する所定の処理を実行する処理装置と、上記所定処理の進捗を管理する進捗管理端末装置とをインターネットを介して接続し、上記所定処理の進捗を管理する。
【００２２】
上記処理装置のデータ処理部は、上記進捗管理端末装置から公衆回線を介して起動信号を受信したとき、受信した起動信号が、予め登録された起動信号である場合のみ、上記データ処理部をインターネットに接続する。
【００２３】
そして、上記インターネットを介して、上記進捗管理端末装置からの認証用データを受信し、受信した認証用データが、予め登録された認証用データと一致するときのみ、上記処理装置の処理進捗に関するデータをインターネットを介して上記進捗管理端末装置に送信する。
【００２４】
（３）本発明による進捗管理装置は、分析又は製造に関する所定の処理を実行する処理装置と、上記所定処理の進捗を管理する進捗管理端末装置とをインターネットを介して接続し、上記所定処理の進捗を管理する。
【００２５】
そして、進捗管理装置は、上記公衆回線及びインターネットを介して、信号を送受信する通信手段と、上記処理装置の進捗データ、登録された起動信号及び登録された認証データを記憶するデータ記憶手段と、上記公衆回線を介して起動信号を受信したとき、受信した起動信号が、予め登録された起動信号である場合のみ、上記通信手段をインターネットに接続し、上記インターネットを介して、上記進捗管理端末装置からの認証用データを受信し、受信した認証用データが、上記登録された認証用データと一致するときのみ、上記処理装置の進捗データをインターネットを介して上記進捗管理端末装置に送信するデータ処理手段とを備える。
【００２６】
（４）また、本発明による進捗管理装置は、分析又は製造に関する所定の処理を実行し、上記所定処理の進捗を管理する進捗管理端末装置とをインターネットを介して接続し、上記所定処理の進捗を管理する。
【００２７】
そして、進捗管理装置は、分析又は製造に関する所定の処理を実行する処理手段と、上記公衆回線及びインターネットを介して、信号を送受信する通信手段と、上記処理手段の進捗データ、登録された起動信号及び登録された認証データを記憶するデータ記憶手段と、上記公衆回線を介して起動信号を受信したとき、受信した起動信号が、予め登録された起動信号である場合のみ、上記通信手段をインターネットに接続し、上記インターネットを介して、上記進捗管理端末装置からの認証用データを受信し、受信した認証用データが、上記登録された認証用データと一致するときのみ、上記処理装置の進捗データをインターネットを介して上記進捗管理端末装置に送信するデータ処理手段とを備える。
【発明の効果】
【００２８】
本発明によれば、新たなローカルネットワークの構築を行うことなく、情報のセキュリティを確保した上で、分析装置等の遠隔地にて、任意の端末装置から分析装置等の処理進捗状況を確認又は管理可能な進捗管理方法及び進捗管理装置を実現することができる。
【００２９】
つまり、装置にとってはサービス利用時のみインターネットに接続されるため、分析結果情報を不正に閲覧されたり破壊されたりする危険を回避することができ、利用者にとってはサービスを利用する際に進捗管理端末装置の種別が限定されないため、閲覧専用の端末装置を用意する必要が無いという効果がある。
【００３０】
また、同一装置上において進捗データ開示用のWebサイトの管理と進捗データの蓄積が行えるため、サービスを利用するためのローカルなネットワークの構築が不要であるという効果と、進捗データの蓄積および開示用のコンピュータを別途用意しなくてもよいという効果がある。
【００３１】
また、装置が専用のドメイン名を持つことによって、装置にとっては、インターネットに接続するたびに異なるIPアドレスを毎回利用者に通知する処理を省略することができ、利用者にとっては、サービスを利用する際に毎回異なるIPアドレスを入力する煩わしさと入力ミスの危険とが解消されることにより、データへのアクセス手順を簡略化できるという効果がある。
【００３２】
また、担当者属性データを用いて担当者を認証することによって、分析データを悪意の第三者による不正アクセスやデータ改ざんの危険から守るという効果と、間違い電話によって装置がインターネットへ接続することを防止できるという効果がある。
【発明を実施するための最良の形態】
【００３３】
以下、本発明の実施形態について添付図面を参照して説明する。  
なお、本発明は、顧客環境において分析装置又は製造装置がスタンドアロンもしくは分析装置又は製造装置間を専用線でローカルに接続している場合を前提としている。これは、分析装置には校正結果や分析結果など、製造装置には製造工程等の機密情報が蓄積されるため、多くの顧客環境においてはネットワークへの常時接続による情報漏洩を防ぐために単体で稼動されていることによる。
【００３４】
また、複数の分析装置又は製造装置間を専用線で接続している場合に、本発明による装置上でそれに接続されている他の装置の分析情報等を閲覧することが可能かどうかについては、データ処理ソフトの仕様であって、本発明の技術的思想には直接関係するものではない。データ処理ソフトに複数の装置情報を一括管理できる仕様があれば、本発明でも対応可能である。
【００３５】
図１は、第１の実施形態における進捗管理方法のシステムの全体構成図である。なお、本発明の第１の実施形態においては、高速液体クロマトグラフィ（High Performance Liquid Chromatography: HPLC）向け装置（HPLC装置）を用いた分析システムに適用した場合の例について説明する。
【００３６】
図１において、分析室１０１には、無線通信機器１０３を備えたHPLC装置１０２が設置される。分析室外１０６の進捗管理端末装置１０８は、インターネット１０４を経由してHPLC装置１０２と接続することができる。分析室外１０６の起動信号発信機１０７からは公衆回線１０５を介して無線通信機器１０３と送受信可能である。
【００３７】
この第１の実施形態では、HPLC装置１０２が無線通信機器１０３を備えるものとするが、HPLC装置１０２が有線通信機器を備え、基地局と直接接続される構成であってもよい。
【００３８】
また、この第１の実施形態では、起動信号発信機器１０７として公衆電話機である携帯電話機を用いるものとするが、公衆電話機等ではなく、担当者もしくは担当者が属する組織が権利を持つ電話番号を備えていれば、これが固定電話であってもよい。
【００３９】
図２は、HPLC装置１０２の内部機能ブロック図である。図２において、HPLC装置１０２は、試料の分離及び検出などの分析処理を実行する分析部２１６と、分析部２１６の制御及びこの分析部２１６から得られるデータの解析、解析データの表示及び分析の進捗過程の送出などを行うデータ処理部２０１とを備える。
【００４０】
分析部２１６は、溶媒を貯めておく溶媒容器２１０と、溶媒を分離用カラム２１３へ送り込むポンプ２１１と、分離用カラム２１３へ送り込まれる溶媒に試料を注入する試料注入部２１２と、分離用カラム２１３にて分離した成分を検出する検出器２１４と、検出器２１４を通過した溶媒及び試料を蓄える廃液容器２１５とを備える。
【００４１】
分析部２１６は、次のように分析処理を実行する。  
つまり、ポンプ２１１を用いて溶媒を分離用カラム２１３へ送り込むと同時に、試料注入部２１２を用いて試料を分離用カラム２１３へ注入する。そして、分離用カラム２１３にて所定の成分を時系列的に分離し、検出器２１４を用いて分離された成分を検出する。
【００４２】
データ処理部２０１と、ポンプ２１１と、試料注入部２１２と、分離用カラム２１３と、検出器２１４とは、HPLC装置１０２内部のネットワークにて接続されている。したがって、データ処理部２０１は、ネットワークを経由して制御コマンドを送出することにより分析処理に必要なパラメータの設定要求と開始要求などを分析部２１６に対して行う。また、データ処理部２０１は、検出器２１４が検出処理にて取得し、デジタル化したデータをネットワーク経由で取得する。そして、データ処理部２０１は、取得したデータを解析することにより、試料の定量および定性を行う。
【００４３】
試料注入部２１２は、バイアルと呼ばれる単位で複数の試料を個別に格納しているので、データ処理部２０１から受信する制御コマンドに基づいて選択的にバイアルに格納された試料を分離用カラム２１３へと注入することができる。これにより、担当者は、複数のバイアルをグループ化し、特定のグループをデータ処理部２０１に指定することにより、HPLC装置１０２に分析処理と解析処理とを自動的に実行させることができる。本発明では、上記グループをシリーズと呼ぶ。
【００４４】
一方、データ処理部２０１は、分析部２１６へ設定すべきパラメータと担当者属性データなどを受付ける入力手段２０８と、定量と定性の結果などを表示する出力手段２０９と、担当者を認証するためのデータ（担当者認証データ）を格納する担当者認証データ領域２０３と、進捗管理端末装置のタイプ（端末装置タイプ）を格納する進捗管理端末装置データ領域２０２とを備える。
【００４５】
また、データ処理部２０１は、分析部２１６の制御と定量と定性と進捗の管理などを行う制御/データ処理手段２０７と、制御/データ処理手段２０７から取得した進捗と共通タグとを関連付けて進捗データを生成する共通タグ処理部２０６と、進捗データと進捗データ関連テーブルを格納する進捗データ領域２０４と、無線通信機器１０３から受付けたコマンドを解析することにより進捗管理データ領域２０４に格納された進捗データから適切な送出進捗データを選定して送出するコマンド解析手段２０５とを備える。
【００４６】
さらに、データ処理部２０１は、外部プロバイダから割り当てられる非固定のIPアドレスを格納する装置属性データ領域２１７と、公衆回線を経由した着信を検出する着信管理手段２１８とを備える。
【００４７】
ここで、データ処理部２０１がコマンド解析手段２０５を備えることにより、無線通信機器１０３を介して進捗データ領域２０４から最新の進捗来歴データのみを送出するのか、連続進捗来歴データを送出するのかといった要求を受付けて処理することも可能である。
【００４８】
この第１の実施形態では、担当者認証データは、担当者属性データと、上記担当者属性データを受付けるインターフェースが記述されたデータ（属性受付けデータ）とする。属性受付けデータは、担当者属性データを担当者属性データ領域へ格納するためのインターフェースが記述された格納属性受付けデータ（格納属性受付けデータ）と、進捗過程を取得しようとする担当者の属性を受付けて担当者認証データ領域２０３に格納された担当者属性データと比較することにより担当者を認証するためのインターフェースが記述されたデータ（認証属性受付けデータ）とする。
【００４９】
この第１の実施形態では、分析室外１０６の起動信号発信機器１０７が備える電話番号、担当者ID及び担当者のパスワードを、担当者属性データとして担当者認証データ領域２０３に予め登録しておくものとする。
【００５０】
また、第１の実施形態における端末装置タイプは、H-HTMLやC-HTMLといった、進捗管理端末装置１０８が対応しているHTMLの種別を示す。また、第１の実施形態における無線通信機器１０３は、インターネット１０４への接続機能に加えて、公衆回線１０５を経由して着信を受付ける機能を備え、着信管理手段２１８によって、周期的に着信があるか否かを判定する。
【００５１】
図３は、進捗の過程とタグとを関連づけて生成した進捗データの一例を示す模式図である。  
図３において、ラベル３０１は、進捗データのタイトルである。ラベル３０２は、進捗を取得した日時を示し、ラベル３０３は、このラベル３０３以降に進捗の過程に関する情報が記述されることを示す。また、ラベル３０４は、分析装置の名称を示し、ラベル３０５は、シリーズの名称を示す。また、ラベル３０６は、バイアルの番号及び進捗の概要を示し、ラベル３０７は、このラベル３０７以降に警告に関する情報が記述されることを示す。
【００５２】
進捗の過程に関する情報には、グラフなどを画像データとして記述することもできる。また、第１の実施形態においては、HTMLにて定義されている共通タグと関連付けているが、XMLに従って定義した共通タグと関連付けてもよい。この場合、（進捗過程）を<process>、（警告）を<warning>などと記述することができる。
【００５３】
図４は、図３に示した進捗の過程とタグとを関連づけて生成した進捗データを、Webブラウザソフト上で表示する表示画面例３０８を示す図である。
【００５４】
この図４に示す例において、進捗情報としては、分析装置名、シリーズ名、現在状況（測定終了したバイアルの番号）及び警告情報となっている。
【００５５】
図５は、進捗管理端末装置１０８の端末装置タイプ及び共通タグの種別と、各共通タグにて記述された進捗データを関連づけるテーブル（進捗データ関連テーブル）の構成図である。
【００５６】
図５において、タイプA識別データ５０１と、タイプB識別データ５０２と、タイプC識別データ５０３と、タイプD識別データ５０４と、タイプE識別データ５０５と、タイプF識別データ５０６とは、端末装置タイプの識別を示すデータである。
【００５７】
共通タグ１識別データ５０７は、タイプAの進捗管理端末装置１０８とタイプBの進捗管理端末装置１０８が対応する共通タグの識別子である。また、共通タグ２識別データ５０８は、タイプCの進捗管理端末装置１０８とタイプDの進捗管理端末装置１０８とタイプEの進捗管理端末装置１０８が対応する共通タグの識別子である。そして、共通タグ３識別データ５０９は、タイプFの進捗管理端末装置１０８が対応する共通タグの識別子である。
【００５８】
また、進捗データ１ファイル名称データ５１０は、進捗データ１が格納されているファイルの名称である。この進捗データ１は、共通タグ１に基づいて記述される。進捗データ２ファイル名称データ５１１は、進捗データ２が格納されているファイルの名称である。この進捗データ２は、共通タグ２に基づいて記述される。また、進捗データ３ファイル名称データ５１２は、進捗データ３が格納されているファイルの名称である。この進捗データ３は、共通タグ３に基づいて記述される。
【００５９】
図６は、HPLC装置１０２が、分析室外１０６の起動信号発信機器１０７から起動信号を受付けた後、このHPLC装置１０２をインターネット１０４に接続するまでの処理動作フローである。この処理動作が完了した後、担当者は、インターネット１０４を経由してHPLC装置１０２の処理進捗状況を取得することができる。
【００６０】
図６において、まず、着信管理手段２１８を用いて、起動信号発信機器１０７からの着信を検出する（ステップ６０１）。着信検出後、電話を切断し（ステップ６０２）、発信元の電話番号を担当者認証データ領域２０３内の担当者属性データから検索する（ステップ６０３、６０４）。検索した結果、登録済みの電話番号でなければ、処理は終了し、検索した結果、該当する番号があった場合のみ、インターネット１０４へ接続する（ステップ６０５）。
【００６１】
図７は、HPLC装置１０２が、インターネット１０４へ接続した後、担当者が使用可能な進捗管理端末装置１０８から情報を閲覧できるようにするまでの処理フローである。
【００６２】
図７において、まず、進捗管理端末装置１０８からの進捗データ閲覧要求を、無線通信機器１０３を用いて受付ける（ステップ７０１）。この第１の実施形態では、HTTP（Hypertext transfer protocol）にて定義されたGETリクエストを受付ける。このGETリクエストには、格納属性受付けデータのURLが添付される。
【００６３】
次に、コマンド解析手段２０５を用いて、GETリクエストを解析することにより、上記URLを抽出して格納属性受付け、データを担当者認証データ領域２０３から読込み、進捗管理端末装置１０８へ送出する。そして、進捗管理端末装置１０８において、担当者認証用データ入力画面を表示する（ステップ７０２）。
【００６４】
次に、担当者が進捗管理端末装置１０８から、担当者認証用データ入力画面に従って、入力した担当者属性データを、無線通信機器１０３を介して受付ける（ステップ７０３）。この第１の実施形態では、HTTPにて定義されたPOSTリクエストを受付け、担当者属性データとして担当者のIDとパスワードとを受付ける。POSTリクエストには、担当者属性データと進捗管理端末装置タイプを示すデータ（端末装置タイプデータ）とが添付される。
【００６５】
次に、コマンド解析手段２０５を用いてPOSTリクエストを解析することにより端末装置タイプデータを抽出して進捗管理端末装置データ領域２０２へ格納する（ステップ７０４）。第１の実施形態では、POSTリクエストのユーザエージェント領域に格納されたデータを端末装置タイプデータとして抽出する。
【００６６】
次に、コマンド解析手段２０５を用いてPOSTリクエストを解析することにより担当者属性データを抽出し、担当者認証データと担当者認証データ領域２０３に格納されている担当者属性データとを比較して一致するか否かを判定する（ステップ７０５）。ステップ７０５において、担当者属性データと一致すれば、端末装置タイプ別データ選定及び開示処理を実行する（ステップ７０６）。
【００６７】
ステップ７０５において、担当者属性データと比較して一致しなかった場合は、判定の実施回数がN回目かどうかを判定する（ステップ７０７）。ステップ７０７において、判定の実施回数がN回目で無ければ、ステップ７０２に戻る。
【００６８】
ステップ７０７において、判定回数がN回目であった場合には、ステップ７０８に進む。そして、このステップ７０８において、認証失敗を示すメッセージを共通タグと関連付けて生成し、無線通信機器１０３を使用して進捗管理端末装置１０８へ送出することにより、認証失敗画面を表示する。ここで、判定条件となるNは予め設定しておくものとする。その後、インターネットへの接続を解除する（ステップ７０９）。
【００６９】
図８は、端末装置タイプ別データ選定及び開示処理（図７のステップ７０６）の処理フローである。
【００７０】
図８において、進捗データ領域２０４から進捗データ関連テーブルを読出し（ステップ８０１）、コマンド解析手段２０５を用いて進捗管理端末装置データ領域２０２から端末装置タイプデータを読出す（ステップ８０２）。
【００７１】
次に、端末装置タイプデータと進捗データ関連テーブルとを比較することにより対応する送出進捗データを選定する（ステップ８０３）。続いて、選定データを閲覧用URLへ送出する（ステップ８０４）ことにより、担当者の進捗データ閲覧を可能とする。
【００７２】
そして、ステップ８０４を完了した後、進捗管理端末装置１０８から、インターネットへの接続を解除する要求があるか否かを判定する（ステップ８０５）。ステップ８０５において、接続解除要求があった場合には、インターネットへの接続を解除する（ステップ８０６）。
【００７３】
なお、接続解除の要求は、第１の実施形態では、HTTPにて定義されたPOSTリクエストを受付けることによる。ここで、担当者が閲覧する進捗データは、HPLC装置１０２が制御／データ処理手段２０７から周期的に進捗の過程を取得し、共通タグと関連付けて図３に示す進捗データとして生成および格納済みのものである。
【００７４】
具体的には、共通タグ処理手段２０６を用いて制御／データ処理手段２０７から進捗状況を取得し、前回の進捗状況から更新されているか否かを確認し、進捗状況の過程が更新されていれば進捗の過程と共通タグとを関連付けて図３に示す進捗データを生成する。進捗状況過程が更新されていなければ進捗データ取得処理を終了する。
【００７５】
この第１の実施形態では、HPLC装置１０２は、図５に示すように三種類の共通タグに対応するので、共通タグごとに進捗データを生成する。また、第１の実施形態では、HPLC装置１０２には予め定められた固定のIPアドレスを割り当てておくものとしたが、インターネットへ接続する度に外部のDDNS（Dynamic Domain Name System）サーバなどから異なるIPアドレスを割り当てるようにしてもよい。
【００７６】
以上に示したように、本発明の第１の実施形態によれば、進捗管理システムを構築する際に、新たなローカルネットワークを構築する必要がないので、構築作業と構築費用を削減することができる。
【００７７】
また、HPLC装置１０２は、進捗管理端末装置のタイプに応じて送出進捗データを選定するので、パソコンのみでなく、携帯電話やPHSなどを使用して進捗を管理することができる。
【００７８】
また、管理サーバとセキュリティサーバなどのサーバを設置するためのスペースが不要であるため、顧客サイトのスペースを有効に使用することができる。
【００７９】
また、HPLC装置１０２が管理サーバを経由することなく進捗データをインターネットへ送出するので、担当者は、最新の進捗をすばやく確認することができる。
【００８０】
また、進捗データを始め、担当者属性データ入力画面の画面フォーマット等すべてのデータをHPLC装置１０２上で管理できるので、専用サーバの設置または外部プロバイダが運営するインターネット上のサーバを利用する必要が無く、それらにかかる運用費用を削減できる。
【００８１】
さらに、HPLC装置１０２が公衆回線を経由して起動信号発信機器１０７からの着信を検出し、検出をトリガとしてHPLC装置１０２がインターネットへ接続するので、悪意を持った第３者による検索などにかかりにくくなるので、HPLC装置１０２への不正な接続を減少させることができる。
【００８２】
あわせて、HPLC装置１０２が担当者属性データを用いた情報開示要求元の認証機能を備えているので、情報の開示先を関係者のみに限定することができる。
【００８３】
つまり、通常は、登録済みの端末装置からのアクセスのみ受け付け、登録済みの携帯電話等の発信機器から接続要求があった場合には、一定条件下で未登録の端末装置から、所定のパスワード、ID等が入力された場合のみ、アクセスを許可する。
【００８４】
したがって、新たなローカルネットワークの構築を行うことなく、情報のセキュリティを確保した上で、分析装置等の遠隔地にて、任意の端末装置から分析装置等の処理進捗状況を確認又は管理可能な進捗管理方法及び進捗管理装置を実現することができる。
【００８５】
次に、本発明の第２の実施形態について図９を参照して説明する。  
図９は、本発明の第２の実施形態である、DDNSサーバを利用する場合の進捗管理方法のシステム全体構成図である。この第２の実施形態は、図１に示した第１の実施形態の全体構成に、基地局９０１が追加されている。その他の構成は、第１の実施形態と同様となるので、その詳細な説明は省略する。
【００８６】
この基地局９０１は、インターネット１０４に設置されたDDNSサーバである。DDNSサーバは、ドメインネームとIPアドレスとの対応を動的に変更することを可能とするサーバである。このサーバを利用することで得られる効果は次のとおりである。
【００８７】
進捗管理端末装置１０８とHPLC装置１０２とを接続する手段が、HPLC装置１０２に固定IPアドレスを持たせて進捗管理端末装置１０８から直接アクセスするものではなく、進捗管理端末装置１０８とHPLC装置１０２との接続が、外部プロバイダを介するものである場合には、HPLC装置１０２がインターネット１０４へ接続するたびに、外部プロバイダから割り当てられるIPアドレスが異なる。このため、HPLC装置１０２は、その都度取得したIPアドレスを進捗管理端末装置１０８側へ連絡し、進捗管理端末装置１０８はそのIPアドレスを用いてアクセスする必要がある。
【００８８】
これに対して、DDNSサーバを利用することによって、IPアドレスを取得するたびに、進捗管理端末装置１０８側へ連絡し、進捗管理端末装置１０８はそのIPアドレスを用いてアクセスしなければならない、という手順を省略することができる。
【００８９】
この場合、HPLC装置１０２は、インターネット１０４に設置されているDDNSサーバにIPアドレスを登録する。これにより、進捗管理端末装置１０８は、固定のIPアドレスの場合と同様に常に同一の専用ドメイン名を使用してHPLC装置１０２へ接続することができる。
【００９０】
なお、DDNSサーバはDNS(Domain Name System)サーバをインターネット向けに拡張したものであり、有料または無料でサービスを使用できるサーバがインターネットに設置されている。
【００９１】
以上に説明したように、本発明の第２の実施形態によれば、第１の実施形態と同様な効果を得ることができる他、HPLC装置１０２はインターネットに接続するたびに新しく割り当てられる自身のIPアドレスを基地局９０１に登録するので、担当者は、変動するIPアドレスではなく固定の専用ドメイン名を指定することによりHPLC装置１０２の進捗を確認することができ、進捗管理操作を簡略化することができる。
【００９２】
次に、本発明の第３の実施形態について、図１０を参照して説明する。  
図１０は、本発明の第３の実施形態である、起動信号発信機器１０７がブラウザ機能を備える場合の進捗管理方法のシステム全体構成図である。この第３の実施形態は、図９に示した例と比較して、進捗管理端末装置１０８を必要としない例である。他の構成は、第２の実施形態と同様であるので、詳細な説明は省略する。
【００９３】
電話番号及び通話機能を備える起動信号発信機器１０７が、さらにブラウザ機能を備える場合は、図１０に示すように、起動信号発信機器１０７と進捗管理端末装置１０８とが物理的に同一であってもよいため、進捗管理端末装置１０８を省略することができる。
【００９４】
以上に示したように、本発明の第３の実施形態によれば、第２の実施形態と同様な効果を得ることができる他、起動信号の発信と進捗データの閲覧とを同一機器で実行可能であるため、パソコンの無い環境からでも情報の閲覧が可能となり、担当者は場所の制約を受けずに随時にHPLC装置１０２の進捗状況を確認することができる。
【００９５】
次に、図１１及び図１２を参照して、担当者側すなわち利用者の手順について説明する。
【００９６】
図１１は、進捗情報閲覧時の担当者の処理フローを示す図である。図１１において、担当者は、起動信号発信機器１０７により、HPLC装置１０２に対して起動要求を発信する（ステップ１１０１）。次に、HPLC装置１０２が着信を検出し、電話を切断するので（図６の、ステップ６０１、６０２と同様）、進捗管理端末装置１０８により、進捗データ閲覧用のサイトにアクセスする（ステップ１１０２）。このとき、進捗データ閲覧用のサイト指定方法は、上述のとおり、固定のIPアドレスもしくは専用ドメイン名による。
【００９７】
続いて、担当者認証用データ入力画面が表示され（図７のステップ７０２と同様）、担当者属性データとしてユーザIDとパスワードを入力する（ステップ１１０３）。
【００９８】
このとき、担当者属性データの入力にN回失敗すると、進捗管理端末装置１０８の画面上に認証失敗のメッセージが表示され、HPLC装置１０２のインターネット接続が解除されるため（図７のステップ７０８、７０９と同様）、進捗データを閲覧することができない。その場合は、再度起動信号発信機器１０７によりHPLC装置１０２に対し起動要求を発信する（ステップ１１０１）。
【００９９】
ステップ１１０３において、担当者属性データの入力に成功した場合は、進捗データを閲覧し（ステップ１１０４）、閲覧終了後に進捗管理端末装置１０８上からHPLC装置１０２のインターネット接続解除要求を発信する（ステップ１１０５）。そして、処理は終了する。
【０１００】
なお、接続解除要求の発信方法については、進捗管理端末装置１０８の画面上から実施するものとする。担当者認証用データ入力画面上に「ログアウト」のような接続解除要求用のボタンを設けて、そこから接続解除要求を発信するようにしてもよい。
【０１０１】
図１２は、担当者認証用データ入力画面の模式図である。図１２において、担当者認証用データ入力画面は、最低限ユーザID入力域（１２０１）と、パスワード入力域（１２０２）と、入力確定ボタン（１２０３）とを備える。
【０１０２】
以上のような手順で、担当者（利用者）は、HPLC装置１０２の分析処理の進捗状況を確認し、管理することができる。
【０１０３】
なお、上述した例は、本発明を、分析装置の分析進捗状況管理に適用した場合の例であるが、分析装置のみならず、物の製造装置の製造進捗状況、稼動状況、故障状況等の管理方法及び装置にも適用可能である。
【０１０４】
また、上述した例においては、HPLC装置１０２は、分析部２１６と、データ処理部２０１とを備えているが、HPLC装置１０２が、分析部２１６のみ備え、データ処理部を、別個の進捗管理装置とすることも可能である。
【図面の簡単な説明】
【０１０５】
【図１】第１の実施形態における進捗管理方法のシステムの全体構成図である。
【図２】第１の実施形態におけるHPLC装置の内部機能ブロック図である。
【図３】第１の実施形態における進捗の過程とタグとを関連づけて生成した進捗データの一例を示す模式図である。
【図４】第１の実施形態における進捗の過程とタグとを関連づけて生成した進捗データを、Webブラウザソフト上で表示する表示画面例を示す図である。
【図５】第１の実施形態における進捗管理端末装置の端末装置タイプ及び共通タグの種別と、各共通タグにて記述された進捗データを関連づけるテーブルの構成図である。
【図６】第１の実施形態におけるインターネットへ接続するまでの処理フローチャートである。
【図７】第１の実施形態における進捗データを閲覧可能とする処理フローチャートである。
【図８】第１の実施形態における端末装置タイプ別データ選定及び開示処理の処理フローチャートである。
【図９】本発明の第２の実施形態であるシステム全体構成図である。
【図１０】本発明の第３の実施形態であるシステム全体構成図である。
【図１１】本発明における進捗情報閲覧時の担当者の処理フローチャートである。
【図１２】本発明における担当者認証用データ入力画面の模式図である。
【符号の説明】
【０１０６】
１０１            分析室
１０２            ＨＰＬＣ装置
１０３            無線通信機器
１０４            インターネット
１０５            公衆回線
１０７            起動信号発信機器
１０８            進捗管理端末装置
２０１            データ処理部
２１６            分析部
９０１            基地局
【図１】
2005148774.tif 000003
【図２】
2005148774.tif 000004
【図３】
2005148774.tif 000005
【図４】
2005148774.tif 000006
【図５】
2005148774.tif 000007
【図６】
2005148774.tif 000008
【図７】
2005148774.tif 000009
【図８】
2005148774.tif 000010
【図９】
2005148774.tif 000011
【図１０】
2005148774.tif 000012
【図１１】
2005148774.tif 000013
【図１２】
2005148774.tif 000014